(57)【要約】【課題】軽量で簡単な構造により、圧縮機で接続する箇所を容易に水平に保持する。【解決手段】電線をスリーブ内に挿入し、圧縮機により圧縮して接続する際に、電線を支持する電線スリーブ圧縮補助具であって、中央部前方に前記圧縮機を設置し、電線を水平かつ直線状になるように支える、下辺の中央部分を欠いた枠状体である電線支持体と、該電線支持体を立設させる、該電線支持体の下辺の中央部分に垂直に固設された枠部材である基台とからなり、前記電線支持体は、圧縮機の鉛直方向の中心軸を線対称の中心として、圧縮機の左右に圧縮機に近い方から順に略一直線上に配設される、第１保持具、第２保持具および把持具とを備えたものであり、該第１保持具は電線を支持し、該第２保持具は電線を移動可能に保持し、該把持具は電線を動かないように把持する。【選択図】図１
2011258448.tif 000002
【特許請求の範囲】
【請求項１】
電線（１００）をスリーブ内に挿入し、圧縮機（１０１）により圧縮して接続する際に、電線（１００）を支持する電線スリーブ圧縮補助具であって、
中央部前方に前記圧縮機（１００）を設置し、電線（１００）を水平かつ直線状になるように支える、下辺の中央部分を欠いた枠状体である電線支持体（２）と、
該電線支持体（２）を立設させる、該電線支持体（２）の下辺の中央部分に垂直に固設された枠部材（９１）である基台（９）と、からなり、
前記電線支持体（２）は、前記圧縮機（１０１）の鉛直方向の中心軸を線対称の中心として、該圧縮機（１０１）の左右に圧縮機（１０１）に近い方から順に略一直線上に配設される、第１保持具（５１）、第２保持具（５２）および把持具（３１，４１）とを備えたものであり、
該第１保持具（５１）は電線（１００）を支持し、該第２保持具（５２）は電線（１００）を移動可能に保持し、該把持具（３１，４１）は電線（１００）を動かないように把持する、ことを特徴とする電線スリーブ圧縮補助具。
【請求項２】
前記基台（９）は、前記枠部材（９１）に着脱可能に設置される板状台座部（９３）をさらに備える、ことを特徴とする請求項１に記載の電線スリーブ圧縮補助具。
【請求項３】
前記基台（９）の枠部材（９１）は、前記電線支持体（２）の下辺の中央部分に固設される代わりに、該下辺の中心軸を中心として回動可能に取り付けられた、ことを特徴とする請求項１又は２に記載の電線スリーブ圧縮補助具。
【請求項４】
前記電線支持体（２）は、前記第１保持具（５１）、前記第２保持具（５２）および前記把持具（３１，４１）を備えた下辺の中央部を欠いた枠状体である代わりに、
前記第１保持具（５１）と前記第２保持具（５２）とを備えた一対の枠状体と、
該一対の枠状体を同一平面上に配設する連結アーム（７）と、
前記一対の枠状体に着脱可能に配設され、前記把持具（３１，４１）と該把持具（３１，４１）を支持する支持棒（３５）とを備えた一対の電線把持部（３）と、からなる、ことを特徴とする請求項１乃至３のいずれか一つに記載の電線スリーブ圧縮補助具。
【請求項５】
前記把持具は、クリップ状の部材であり、電線（１００）を把持する固定片（３１ａ）および可動片（３１ｂ）と、該固定片（３１ａ）に該可動片（３１ｂ）を回動可能に取り付ける支軸（３１ｃ）と、該支軸（３１ｃ）に緩嵌されるねじりコイルばねとからなり、該ねじりコイルばねの弾性力により、前記固定片（３１ａ）と前記可動片（３１ｂ）は先端部を閉じる方向に付勢され、
該固定片（３１ａ）および該可動片（３１ｂ）が形成する筒状部の壁面全体には、弾性材（３１ｅ）が貼着されており、その内径（Ｄ３）は、電線（１００）の外径よりも小さい、ことを特徴とする請求項１乃至４のいずれか一つに記載の電線スリーブ圧縮補助具。
【請求項６】
前記把持具は、
前記枠状体または前記支持棒（３５）に固設され、電線（１００）を支持する保持クリップ（４２）と、該保持クリップ（４２）に嵌着され、電線（１００）を動かないように把持する、着脱可能な把持クリップ４３とからなり、
前記保持クリップ（４２）の先端側の中央部には、筒状部分の中心軸に垂直に筒状欠切部分（４２ｄ）が設けられており、該保持クリップ（４２）が形成する二つの筒状部の内径（Ｄ４）は電線（１００）の外径よりも大きく、
前記把持クリップ（４３）の固定片（４３ａ）は、棒状に延長され鉤部（４３ａ’）が形成された後端部分を有し、該把持クリップ（４３）が形成する筒状部の内壁面には、弾性材（４３ｅ）が貼着されており、その内径（Ｄ５）は電線（１００）の外径よりも小さ
く、
前記保持クリップ（４２）で電線（１００）を支持した後に該保持クリップ（４２）の前記筒状欠切部分（４２ｄ）の電線（１００）を前記把持クリップ（４３）によって動かないように把持することによって、電線（１００）の移動を妨げることができ、
圧縮開始後に前記鉤部（４３ａ’）に力を加えることによって電線（１００）の撚りを強めることができるように構成した、ことを特徴とする請求項１乃至４のいずれか一つに記載の電線スリーブ圧縮補助具。
【請求項７】
電線（１００）をスリーブ内に挿入し、圧縮機（１０１）により圧縮して接続する方法であって、
２本の電線（１００）について、最終的に第２保持具（５２）で保持されると思われる位置よりも少し先端側の部分を該第２保持具（５２）で移動可能に保持する工程と、
該電線（１００）を第１保持具（５１）で支持する工程と、
該電線（１００）の先端部を圧縮装着するスリーブの両端開口部から挿入し、所定の位置にくるように引っ張る工程と、
該電線（１００）を把持具によって動かないように把持する工程と、を含む電線の接続方法。
【請求項８】
電線（１００）をスリーブ内に挿入し、圧縮機（１０１）により圧縮して接続する方法であって、
片方の電線（１００）に外装スリーブを挿入する工程と、
２本の電線（１００）について、最終的に第２保持具（５２）で保持されると思われる位置よりも少し先端側の部分を該第２保持具（５２）で移動可能に保持する工程と、
該電線（１００）を第１保持具（５１）で支持する工程と、
該電線（１００）を保持クリップ（４２）で支持する工程と、
該電線（１００）の先端部を圧縮装着するスリーブの両端開口部から挿入し、所定の位置にくるように引っ張る工程と、
前記保持クリップ（４２）の筒状欠切部分（４２ｄ）の電線（１００）を把持クリップ（４３）によって動かないように把持する工程と、
該電線（１００）を前記圧縮機（１０１）で圧縮接続する工程と、
前記把持クリップ（４３）を外し、該圧縮機（１０１）から該電線（１００）を外し、所定の位置に前記外装スリーブを移動する工程と、
該外装スリーブを装着した該電線（１００）を前記圧縮機（１０１）に設置する工程と、
該電線（１００）を前記把持クリップ（４３）で把持する工程と、
前記圧縮機（１０１）で圧縮を開始し、電線（１００）が伸び始めたときに前記把持クリップ（４３）の鉤部（４３ａ’）に電線の撚りを強める方向に力を加える工程と、を含む、ことを特徴とする電線の接続方法。
【発明の詳細な説明】
【技術分野】
【０００１】
本発明は、２本の電線の端部をスリーブ内に挿入し圧縮機により圧縮して接続する際に、電線を支持する電線スリーブ圧縮補助具およびその接続方法に係り、特に軽量で簡単な構造により、圧縮機で接続する箇所を容易に水平に保持することができる電線スリーブ圧縮補助具およびその接続方法に関する。
【背景技術】
【０００２】
従来、２本の架空電線を接続する際には、両電線の端部をスリーブ内の所定の位置まで挿入し、数〜十数箇所を圧縮機によって圧縮接続している。また、鋼心アルミ撚り線からなる２本の送配電用電線を接続する場合には、まず、両電線の端部の外装部（絶縁皮膜層）を所定の長さ切断し、剥離して鋼心線を露出し、一方の鋼心線に予め外装スリーブ（アルミスリーブ）を挿入して所定の位置に移動した後に、鋼スリーブに両鋼心線の端部を挿入し、数〜十数箇所を圧縮機によって圧縮する。そして、鋼スリーブの圧縮が済むと、外装スリーブを鋼スリーブの所定の位置に移動し、さらに外装スリーブの圧縮を数〜十数箇所行う方法が取られている。
【０００３】
この際、スリーブに挿入した両電線の端部の中心軸が、圧縮時に圧縮機の圧縮ヘッドが移動する方向に対して垂直であり、かつ一直線上にくるように、また、電線が抜け落ちてしまわないように、２名の作業員が圧縮ヘッドの両側から、電線を手で水平に保持し作業を実施する。しかし、作業員の力加減により電線の支え方が斜めになると、スリーブが湾曲するという問題があった。スリーブが湾曲した場合には、接続後の電線の強度や機能に問題が生じるので、接続をやり直さなければならなかった。さらに、外装スリーブを使用する場合には、鋼スリーブが湾曲すると、外装スリーブが挿入できなくなるので、湾曲した部分を切断し、再度鋼スリーブの圧縮作業から始めなければならなかった。
また、この作業において、圧縮機を操作する作業員以外に、電線を水平に保持するために２名の作業員が必要となることは、人件費の面からも問題があった。
【０００４】
このような問題を解消するために、例えば、特許文献１の特開２００８−２３４８９１号「圧縮ヘッドの支持器」などが提案されている。この圧縮ヘッドの支持器は、煩雑な作業を要せずに圧縮スリーブの圧縮位置を変更することができる上に、それぞれの圧縮位置において圧縮スリーブを湾曲させることなく圧縮処理を行うことができ、従って、全長に亘って圧縮処理を終了した後の圧縮スリーブが直線状になり、圧縮強度が均一になるようにしたものである。
【先行技術文献】
【特許文献】
【０００５】
【特許文献１】特開２００８−２３４８９１号
【発明の概要】
【発明が解決しようとする課題】
【０００６】
上記「圧縮ヘッドの支持器」は、圧縮スリーブを湾曲させることなく圧縮処理を行うことができ、分解して運搬することが可能であるが、構造が複雑で細かい部品等を使用しているので、その製作が容易でないという問題があった。
【０００７】
本発明は、上述した問題点を解決するために提案されたものである。すなわち本発明の目的は、軽量で簡単な構造であり、容易に圧縮機で接続する箇所を水平に保持できる電線スリーブ圧縮補助具およびその接続方法を提供することにある。
【課題を解決するための手段】
【０００８】
上記の目的を達成するための本発明の電線スリーブ圧縮補助具は、電線（１００）をスリーブ内に挿入し、圧縮機（１０１）により圧縮して接続する際に、電線（１００）を支持する電線スリーブ圧縮補助具であって、中央部前方に前記圧縮機（１０１）を設置し、電線（１００）を水平かつ直線状になるように支える、下辺の中央部分を欠いた枠状体である電線支持体（２）と、該電線支持体（２）を立設させる、該電線支持体（２）の下辺の中央部分に垂直に固設された枠部材（９１）である基台（９）と、からなり、前記電線支持体（２）は、前記圧縮機（１０１）の鉛直方向の中心軸を線対称の中心として、該圧縮機（１０１）の左右に圧縮機（１０１）に近い方から順に略一直線上に配設される、第１保持具（５１）、第２保持具（５２）および把持具（３１，４１）とを備えたものであり、該第１保持具（５１）は電線（１００）を支持し、該第２保持具（５２）は電線（１００）を移動可能に保持し、該把持具（３１，４１）は電線（１００）を動かないように把持することを特徴とする。
【０００９】
前記基台（９）は、前記枠部材（９１）に着脱可能に設置される板状台座部（９３）をさらに備えてもよい。
前記基台（９）の枠部材（９１）が、前記電線支持体（２）の下辺の中央部に固設される代わりに、該下辺の中心軸が軸となるように回動可能に取り付けてもよい。
【００１０】
前記電線支持体（２）は、第１保持具（５１）、第２保持具（５２）および把持具を備えた枠状体である代わりに、第１保持具（５１）と第２保持具（５２）とを備えた枠状体と、該枠状体に着脱可能に配設され、把持具（３１）と該把持具を支持する支持棒（３５）とを備えた電線把持部（３）とからなるものでもよい。
【００１１】
前記把持具は、クリップ状の部材であり、電線を把持する固定片（３１ａ）および可動片（３１ｂ）と、固定片（３１ａ）に可動片（３１ｂ）を回動可能に取り付ける支軸（３１ｃ）と、支軸（３１ｃ）に緩嵌されるねじりコイルばねとからなり、該ねじりコイルばねの弾性力により、固定片（３１ａ）と可動片（３１ｂ）は先端部を閉じる方向に付勢され、固定片（３１ａ）および可動片（３１ｂ）が形成する筒状部の壁面全体には、弾性材（３１ｅ）が貼着されており、その内径（Ｄ３）は、電線（１００）の外径外径よりも小さいものとすることができる。
【００１２】
また、前記把持具は、前記枠状体または前記支持棒（３５）に固設され、電線（１００）を支持する保持クリップ（４２）と、該保持クリップ（４２）に嵌着され、電線（１００）を動かないように把持する、着脱可能な把持クリップ４３とからなり、前記保持クリップ（４２）の先端側の中央部には、筒状部分の中心軸に垂直に筒状欠切部分（４２ｄ）が設けられており、該保持クリップ（４２）が形成する二つの筒状部の内径（Ｄ４）は電線（１００）の外径よりも大きく、前記把持クリップ（４３）の固定片（４３ａ）は、棒状に延長され鉤部（４３ａ’）が形成された後端部分を有し、該把持クリップ（４３）が形成する筒状部の内壁面には、弾性材（４３ｅ）が貼着されており、その内径（Ｄ５）は電線（１００）の外径よりも小さく、前記保持クリップ（４２）で電線（１００）を支持した後に該保持クリップ（４２）の前記筒状欠切部分（４２ｄ）の電線（１００）を前記把持クリップ（４３）によって動かないように把持することによって、電線（１００）の移動を妨げることができ、圧縮開始後に前記鉤部（４３ａ’）に力を加えることによって電線（１００）の撚りを強めることができるように構成したものとすることができる。
【００１３】
上記の目的を達成するための本発明の電線スリーブ圧縮補助具の接続方法は、電線（１００）をスリーブ内に挿入し、圧縮機（１０１）により圧縮して接続する方法であって、２本の電線（１００）について、最終的に第２保持具（５２）で保持されると思われる位
置よりも少し先端側の部分を該第２保持具（５２）で移動可能に保持する工程と、該電線（１００）を第１保持具（５１）で支持する工程と、該電線（１００）の先端部を圧縮装着するスリーブの両端開口部から挿入し、所定の位置にくるように引っ張る工程と、該電線（１００）を把持具によって動かないように把持する工程とを含むものである。
【００１４】
また、電線スリーブ圧縮補助具の接続方法は、片方の電線（１００）に外装スリーブを挿入する工程と、２本の電線（１００）について、最終的に第２保持具（５２）で保持されると思われる位置よりも少し先端側の部分を該第２保持具（５２）で移動可能に保持する工程と、該電線（１００）を第１保持具（５１）で支持する工程と、該電線（１００）を保持クリップ（４２）で支持する工程と、該電線（１００）の先端部を圧縮装着するスリーブの両端開口部から挿入し、所定の位置にくるように引っ張る工程と、前記保持クリップ（４２）の筒状欠切部分（４２ｄ）の電線（１００）を把持クリップ（４３）によって動かないように把持する工程と、該電線（１００）を前記圧縮機（１０１）で圧縮接続する工程と、前記把持クリップ（４３）を外し、該圧縮機（１０１）から該電線（１００）を外し、所定の位置に前記外装スリーブを移動する工程と、該外装スリーブを装着した該電線（１００）を前記圧縮機（１０１）に設置する工程と、該電線（１００）を前記把持クリップ（４３）で把持する工程と、前記圧縮機（１０１）で圧縮を開始し、電線（１００）が伸び始めたときに前記把持クリップ（４３）の鉤部（４３ａ’）に電線の撚りを強める方向に力を加える工程とを含むものであってもよい。
【発明の効果】
【００１５】
本発明の電線スリーブ圧縮補助具及びその接続方法は、以下のような効果を有する。
請求項１および請求項７に記載の発明においては、容易に電線（１００）を水平に保つことができ、圧縮時に電線（１００）が抜け落ちることや、スリーブが湾曲することを回避できるだけでなく、電線（１００）を固定し、水平方向の移動を妨げる把持具（３１，４１）を圧縮機（１０１）から離れた位置に備え、電線（１０１）を第１保持具（５１）、第２保持具（５２）および把持具によって部分的に保持等することによって、電線（１００）がある程度撓むことを妨げず、圧縮による電線（１００）の伸びを吸収することができる。また、請求項１に記載の電線スリーブ圧縮補助具は、構造が簡単であるため、簡単に製作でき、軽量であるので持ち運びに便利である。
【００１６】
また、請求項２に記載の発明においては、圧縮機（１０１）の設置場所にある程度の凹凸があっても、板状台座部（９３）に載せて使用するので、圧縮機（１０１）の高さ調節が不要である。請求項３に記載の発明においては、折り畳み可能であることによって山の中等に持ち運んで簡単に設置できるとともに、ある程度の斜面であっても使用することができる。
【００１７】
さらに、請求項４に記載の発明においては、把持具を着脱可能の電線把持部（３）に設けることで枠状体を小さくすることができ、より持ち運びに便利である。請求項５に記載の発明においては、把持具がクリップ状の部材であるので容易に電線（１００）を把持することができる。請求項６および請求項８に記載の発明においては、外装スリーブに挿入されたアルミ撚り線を圧縮する場合に、電線（１００）が伸びてアルミ撚り線の撚りが解けることにより生じる「わらい」の発生を防ぐことができる。
【図面の簡単な説明】
【００１８】
【図１】本発明の実施例１の電線スリーブ圧縮補助具の使用状態を示し、圧縮機を設置する側から見た概略正面図である。
【図２】図１のＡ−Ａ部の断面平面図である。
【図３】本発明の実施例１の電線スリーブ圧縮補助具の一部分の概略左側面図であり、（ａ）は第１保持具、（ｂ）は第２保持具、（ｃ）は把持具を示すものである。
【図４】本発明の実施例２の電線スリーブ圧縮補助具の把持具を示し、（ａ）は保持クリップの斜視図であり、（ｂ）は把持クリップの斜視図である。
【発明を実施するための形態】
【００１９】
以下、本発明の電線スリーブ圧縮補助具の好ましい実施の形態およびその接続方法を、図面に基づいて説明する。
【実施例１】
【００２０】
図１は実施例１の電線スリーブ圧縮補助具の使用状態を示し、圧縮機を設置する側から見た概略正面図である。
図１に示すように、本発明の電線スリーブ圧縮補助具１は、２本の電線１００の端部を水平かつ直線状になるように支える電線支持体２と、電線支持体２を地面に立設させるための基台９とからなる。
なお、以下では、電線スリーブ圧縮補助具１の使用時において、鉛直方向の地面側を「下側」、その反対側を「上側」と、電線支持体２に対して圧縮機１０１を設置する方向を「手前側」、その反対側を「後側」ということにする。また、電線スリーブ圧縮補助具１を手前側から見て右方向を「右側」、その反対側を「左側」とする。
【００２１】
電線支持体２は、同一平面上に略平行に配設された一対の略矩形の電線保持部５と、電線保持部５の互いの上辺端部を連結した連結アーム７と、各電線保持部５に着脱可能に配設される電線把持部３とからなる。連結アーム７の中央部分前方に圧縮機１０１が設置される。
【００２２】
電線保持部５は、図１に示すように４つのアーム６１，６２，６３，６４とこれらを連結する連結部材６５ａ，６５ｂ，６５ｃにより、略矩形状をなしている。各アームは筒状の素材からなる。
平行に立設する第１アーム６１と第２アーム６２は、それぞれの上端部が上部支持アーム６３によって、下端部が下部支持アーム６４によって支持される。なお、各電線保持部５において、圧縮機１０１に近い位置に立設している方が、第１アーム６１である。
【００２３】
第１アーム６１の上端は、Ｔ字筒状連結部材６５ｂによって上部支持アーム６３および連結アーム７に、第１アーム６１の下端は、Ｔ字筒状連結部材６５ｃによって下部支持アーム６４および基台９に接続されている。また、第２アーム６２は、上部支持アーム６３および下部支持アーム６４とＬ字筒状連結部材６５ａで接続されている。  
【００２４】
第１アーム６１の略中央部には第１保持具５１が、第２アーム６２の略中央部には第２保持具５２が備えられる。第１保持具５１および第２保持具５２の詳細については後述する。
Ｔ字筒状連結部材６５ｃおよびＬ字筒状連結部材６５ａの上部に調節ボルト又は調節ねじ６６を、第１アーム６１および第２アーム６２に凹部を設け、第１アーム６１および第２アーム６２の上下方向の挿入量を微調整できるようにする。このような構造により、板状台座部９３を使用する場合と使用しない場合について、第１保持具５１、第２保持具５２および把持具３１（後述）が圧縮機１０１の圧縮ダイスの高さと同じになるように調節できる。また、違う種類の圧縮機１０１等に対しても対応可能となる。
または、Ｔ字筒状連結部材６５ｃおよびＬ字筒状連結部材６５ａの上部、第１アーム６１および第２アーム６２の下部に、第１アーム６１等の挿入量を調節する調節具の嵌入孔を設けてもよい（図示せず）。この場合、第１アーム６１および第２アーム６２の嵌入孔は、板状台座部９３を使用する場合と使用しない場合について、第１保持具５１等が圧縮機１０１の圧縮ダイスの高さと同じになるような位置に２つ、少なくとも設け、さらに第１保持具５１等の地面からの距離の微調整できるような位置にも設けてもよい。
【００２５】
電線把持部３は、図１に示すように、電線１００を把持する把持具３１と、把持具３１が一端に固設された支持棒３５と、支持棒３５を着脱可能に第１アーム６１および第２アーム６２に取り付ける連結具７１，７２とからなる。連結具７１は第１アーム６１の略中央部に設置されている係止具５１ｄの下側に、連結具７２は第２アーム６２の略中央部に設置されている係止具５２ｄの下側に、同じ高さに配設される。
【００２６】
電線把持部３は、電線スリーブ圧縮補助具の収納・運搬時には取り外され、使用時には支持棒３５を連結具７２，７１に挿着され、係止金具７１ａ，７２ｂにより固定される。なお、収納・運搬時に電線把持部３を取り外さないで、支持棒３５を電線支持体２の中心側に押し込むこともできる。
【００２７】
図２は図１のＡ−Ａ部の断面図である。
基台９は、図２に示すように、電線支持体２を立設させるための略矩形状の枠部材９１と、圧縮機１０１を載せる板状台座部９３とから構成される。
枠部材９１は、圧縮機１０１の左右に位置する対辺の各中央部後側に、枠部材９１の外側に突出する筒状接続部９１ａを有している。筒状接続部９１ａは、下部支持アーム６４が接続されている方向と反対の方向から、Ｔ字筒状連結部材６５ｃに回動可能に嵌入される。
【００２８】
また、枠部材９１は、Ｔ字筒状連結部材６５ｃに取り付けられた係止具９１ｂによって、係止される。係止具９１ｂにより、基台９は電線支持体２に対し垂直となる位置で固定することができ、さらに所望の位置でも固定できる。
【００２９】
枠部材９１には、筒状接続部９１ａよりも手前側の上面に一対の円柱状の突起９２が、２箇所ずつ設けられている。板状台座部９３を着脱可能に配設するためのものである。
【００３０】
板状台座部９３は、圧縮機１０１を乗せるための板状部材９３ａと、板状部材９３ａを支える２本の平板棒状部材９３ｂとからなる。２本の平板棒状部材９３ｂは、板状部材９３ａの下面に平行に固設され、その両端部は、下側に円弧状に湾曲している。
【００３１】
板状台座部９３は、その平板棒状部材９３ｂを前述の突起９２の間に嵌め込んで使用される。突起９２により、前後の移動を防ぐことができる。また、前述の平板棒状部材９３ｂの両端部は架設する枠部材９１の外壁面に沿うように湾曲しており、これにより左右の移動も防げる。
【００３２】
図３（ａ）は第１アーム６１に接続された第１保持具５１の左側面図であり、図３（ｂ）は第２アーム６２に接続された第２保持具５２の左側面図であり、図３（ｃ）は電線把持部３に備えられた把持具３１の左側面図である。
第１保持具５１は、クリップ状の部材であり、図３（ａ）に示すように固定片５１ａと、可動片５１ｂと、固定片５１ａに可動片５１ｂを回動可能に取り付ける支軸５１ｃと、支軸５１ｃに緩嵌されるねじりコイルばね（図示せず）とからなる。固定片５１ａと可動片５１ｂは、ねじりコイルばねの弾性力により、その先端部を閉じる方向に付勢されている。
【００３３】
第１保持具５１は、電線保持部５から略垂直に前方に突出するように、係止具５１ｄによって第１アーム６１の略中央部に可動片５１ｂを上側にして横向きに取り付けられる（図１参照）。
固定片５１ａと可動片５１ｂの内壁により形成された筒状部の内径Ｄ１は、電線１００の外径よりもわずかに大きくなっている。よって、第１保持具５１は電線１００を支持す
るが、電線１００の中心軸方向の移動を制限するものではない。
【００３４】
第２保持具５２も、図３（ｂ）に示すように、前述の第１保持具５１と略同様であり、固定片５２ａと、可動片５２ｂと、支軸５２ｃと、ねじりコイルばね（図示せず）とからなる。また、第２保持具５２は、電線保持部５から略垂直に前方に突出するように、係止具５２ｄによって第１アーム６２の略中央部に可動片５２ｂを上側にして横向きに取り付けられる（図１参照）。
【００３５】
固定片５２ａと可動片５２ｂの内壁により形成された筒状部には、その中心軸方向と平行に、６本のゴム、軟質プラスチック等の線状弾性材５２ｅが略等間隔に、内壁面に貼られている。そして、線状弾性材５２ｅの部分の内径Ｄ２は電線１００の外径と略同じ大きさとなっている。よって、第２保持具５２は電線１００を軽く握るように保持し、電線１００の中心軸方向の移動をある程度制限するが、ある程度の力を加えれば電線１００を移動させることができる。
【００３６】
把持具３１は、図３（ｃ）に示すように、クリップ状の部材であり、その主な構造は、保持具５１または保持具５２と同様で、固定片３１ａと、可動片３１ｂと、支軸３１ｃと、ねじりコイルばね（図示せず）とからなる。把持具３１は、筒状部の中心軸が、電線保持部５が形成する平面と平行になるように、その開口部を略鉛直方向上向きにして、形設される。
【００３７】
固定片３１ａと可動片３１ｂの内壁により形成された筒状部の壁面全面には、ゴム、軟質プラスチック等の弾性材３１ｅが貼り付けられている。その内径Ｄ３は、電線１００の外径よりも小さく、電線１００は把持具３１により強く把持され、その中心軸方向への移動が妨げられる。
【００３８】
第１保持具５１の筒状部、第２保持具５２の筒状部、および把持具３１の筒状部は、同じ高さになるようにそれぞれ第１アーム６１、第２アーム６２、支持棒３５に取り付けられる（図１参照）。また、電線保持部５が形成する平面から突出している距離も同じである（図３参照）。そして、これらの筒状部の延長上に、圧縮機１０１の圧縮ダイスが設置されるので、電線１００は、第１保持具５１、第２保持具５２および把持具３１によって一直線状に支持、保持および把持できる。
【００３９】
次に、実施例１の電線スリーブ圧縮補助具１と圧縮機１０１とによって、電線１００が接続される方法について説明する。
作業者は、電線スリーブ圧縮補助具１を組み立て、必要であれば、片方の電線１００の所定の位置に外装スリーブを挿入する。そして、２本の電線１００の、最終的に第２保持具５２で保持されると思われる位置よりも少し先端側の部分を第２保持具５２で軽く保持する。その後、電線１００を第１保持具５１で支持する。
【００４０】
次に、作業者は、圧縮機の圧縮ダイス上で、両電線１００の先端部を圧縮装着するスリーブの両端開口部から挿入し、所定の位置にくるように引っ張る。このとき、前述のように、第１保持具５１は電線１００を支持しているだけであり、第２保持具５２は軽く握るように電線１００を移動可能に保持しているだけなので、作業者が力を加えると電線１００の両端が適切な位置にくるように動かすことができる。また、電線１００を所望の位置に動かした後は、第２保持具５２は線状弾性材５２ｅによって電線１００を移動しないように保持することができる。
【００４１】
電線１００の先端部が所定の位置に移動した後に、作業者は、さらに把持具３１によって、電線１００を把持する。把持具３１は、前述のように電線１００が移動しないように
しっかりと電線１００を把持するものである。
【００４２】
このような準備が整ったら、作業者は、圧縮機１０１を作動し圧縮を行う。圧縮が終わったら、圧縮機１０１の圧縮ダイスから電線１００を外す。
スリーブの他の位置を圧縮するためには、作業者は、電線１００を把持具３１のみから外し、スリーブにより接続された部分に力が掛からないようにスリーブの両端部分を両手で支えながら、所望の位置に移動させる。そして、再び把持具３１により電線１００を把持し、圧縮を行う。このようにして所定の回数圧縮することができる。
また、圧縮による伸びが電線１００にほとんど生じておらず、電線１００が撓んでいない場合には、電線１００を把持具３１から外すことをせず、図２の矢印で示したように、圧縮機１０１を所望の位置に移動させても良い。
なお、外装スリーブを装着する場合には、電線１００の接続終了後に外装スリーブを電線接続部分に移動させてから同様に圧縮を行なう。
【００４３】
電線スリーブ圧縮補助具が板状台座部９３を備えていない場合であれば、圧縮機１０１を地面に設置したときに、圧縮機１０１の圧縮ダイスと第１保持具５１、第２保持具５２および把持具３１によって、電線１００が、一直線状に支持、保持および把持できるように構成する。この場合、一箇所圧縮した後に他の箇所を圧縮するには、電線１００を移動させる以外に、圧縮機１０１を所望の位置に移動させても良いし、電線１００を把持等している電線スリーブ圧縮補助具１自体を移動させても良い。
【００４４】
本実施例の電線スリーブ圧縮補助具１は、前述のように構造が簡単であるため、容易に製作することができる。また、電線把持部３および板状台座部９３は電線スリーブ圧縮補助具１から取り外すことができ、さらに、枠部材９１は電線保持部５に回動可能に連結され、平面状に折り畳むことができるので、持ち運びやすく、また保管にも場所を取られない。このような構造により、ごく短時間で使用可能な状態に組み立てることができる。また、枠状部材が主構造なので軽量であり、持ち運びに便利である。
【００４５】
なお、枠部材９１の板状台座部９３を設置する側と反対側のコの字形状部分を一回り小さい形状として、板状台座部９３を設置する側と回動可能に接続する構造としてもよい。枠部材９１自体も略半分に折り畳むことができるのでさらに運搬・収納しやすいからである。
また、Ｌ字筒状連結部材６５ａおよびＴ字筒状連結部材６５ｂ，６５ｃに対して、連結アーム７、基台９、第１アーム６１、第２アーム６２、上部支持アーム６３および下部支持アーム６４を着脱可能とすれば、必要に応じて、電線スリーブ圧縮補助具１をより小さい部品に分解することができる。
【００４６】
本実施例の電線スリーブ圧縮補助具１によれば、枠部材９１の上側に圧縮機１０１を載せる板状部材９３ａが配設される。板状部材９３ａの下側の地面が枠部材９１の高さを越えるような凸状ではなく、枠部材９１および下部支持アーム６４等の接地部分が略平面状であれば、圧縮機１０１の設置位置の地面が凸凹であっても、圧縮機１０１等の高さ調節をせずに使用することができる。
また、調節ねじ６６等によって、第１保持具５１、第２保持具５２および把持具３１の地面からの距離を調節できるので、地面が平坦な場所で作業をする場合には、板状台座部９３を使用することなく、圧縮作業を行なうことができる。
【００４７】
さらに、斜面で作業する場合には、下部支持アーム６４が斜面の傾斜方向に対して垂直になるように枠部材９１を地面の傾斜に合わせる。そして、一対の電線保持部５および連結アーム７の形成する平面が鉛直線上にくるようにして、枠部材９１を係止具９１ｂでＴ字筒状連結部材６５ｃに固定する。この場合は板状台座部９３を使用しない。
このように電線スリーブ圧縮補助具１を設置すれば、圧縮機１０１を設置する地面の高さの調節をするだけで、電線１００を水平に保持することができる。なお、電線スリーブ圧縮補助具１が斜面を滑り動かないように、係止部材等で枠部材９１を地面に一時的に固定することが好ましい。
【００４８】
本実施例の電線スリーブ圧縮補助具およびその接続方法によれば、前述のように容易に電線１００を水平に保つことができ、スリーブが湾曲してしまうことを回避できる。また、ネジ等で留めるよりも簡単に電線１００に取り付けることができるので、短時間に作業を終えられる。また、圧縮時に電線を圧縮ダイスの両側から支える必要がないので、１人ですべての作業を行うことが可能であり、人件費等の節約にもつながる。
【００４９】
一度圧縮作業を行った後に、他の箇所を圧縮する場合にも、把持具３１を外せば、第１保持具５１および第２保持具５２は電線１００を支持および保持するだけなので、電線１００を手で引っ張ることにより圧縮により生じた撓みを容易に取り除くことができる。また、簡単に電線１００を所定の位置へと移動することができる。そして、把持具３１を着け直せば、またすぐに圧縮を行なうことができる。
また、電線１００に圧縮による伸び・撓みが生じていない場合には、前述のように、圧縮機１０１自体を動かせば、容易に次の圧縮作業を行なうことができる。
【００５０】
さらに、本実施例の電線スリーブ圧縮補助具およびその接続方法によれば、２本の電線１００は先端側から、第１保持具５１、第２保持具５２、把持具３１の順に、それぞれ３箇所で支持、保持、把持されるので、巻き癖のある新線であっても容易に水平状態に保つことができる。また、電線１００がその中心軸方向に移動しないように、把持具３１によってしっかり把持するので、圧縮時に電線１００がスリーブから抜け落ちてしまうのを防ぐことができる。
【００５１】
そして、電線１００を移動しないように把持する把持具３１が圧縮機１０１から一番離れた位置にあり、各電線１００について第１保持具５１および第２保持具５２の２箇所で電線１００を部分的に支持および保持しているだけなので、圧縮により電線１００が伸びても、その伸びを支持および保持された部分以外の撓みによって吸収することが可能である。
【実施例２】
【００５２】
実施例２の電線スリーブ圧縮補助具１１は、鋼心アルミ撚り線等の撚り線の接続の際に使用するもので、実施例１の電線スリーブ圧縮補助具１の電線把持部３の把持具３１の構造のみが異なるものである。実施例２の把持具４１は、支持棒３５に固設される保持クリップ４２と、保持クリップ４２によって係止される着脱可能な把持クリップ４３とからなる。
【００５３】
図４は実施例２の把持具４１を構成する部品を示し、（ａ）は保持クリップ４２の斜視図であり、（ｂ）は把持クリップ４３の斜視図である。
保持クリップ４２は、図４（ａ）に示すように、前述の保持具５１等と同様に固定片４２ａと、可動片４２ｂと、支軸４２ｃと、ねじりコイルばね（図示せず）とからなる。固定片４２ａと可動片４２ｂの先端側の中央部には、筒状部分の中心軸に垂直に筒状欠切部分４２ｆが設けられている。また、固定片４２ａの後端部は支持棒３５に固設される。保持クリップ４２は、電線１００を２箇所で囲むものであり、固定片４２ａと可動片４２ｂとが形成する二つの筒状部の内径Ｄ４は電線１００の外径よりもわずかに大きくなっている。
【００５４】
把持クリップ４３は、図４（ｂ）に示すように、前述の把持具３１と同様に固定片４３
ａと、可動片４３ｂと、支軸４３ｃと、ねじりコイルばね４３ｇとからなる。固定片４３ａと可動片４３ｂとが形成する筒状部の内壁面は、ゴム、軟質プラスチック等の弾性材４３ｅが貼着されており、その内径Ｄ５は電線１００の外径よりも若干小さく、電線１００を強固に把持するものである。把持クリップ４３の筒状部の中心軸方向の長さは、保持クリップ４２の先端に形成された筒状欠切部分４２ｆの中心軸方向の長さよりもわずかに短くなっている。これにより、保持クリップ４２の筒状欠切部分４２ｆに把持クリップ４３をちょうど嵌め込むことができる。
【００５５】
また、保持クリップ４２の筒状部は、実施例１の把持具３１と同様に第１保持具５１の筒状部等と略同じ高さに位置し、電線保持部５が形成する平面から突出している距離も同じである。第１保持具５１の筒状部、第２保持具５２の筒状部、保持クリップ４２の筒状部および圧縮機１０１のスリーブ設置位置が、略一直線上に位置するように、配設されている。
【００５６】
把持クリップ４３は、保持クリップ４２で電線１００を囲んだ後に、保持クリップ４２の筒状欠切部分４２ｆの電線１００を把持する。把持クリップ４３は、保持クリップ４２により電線１００の中心軸方向の移動が制限されるので、電線１００自体もその中心軸方向への動きが制限されることとなる。
【００５７】
把持クリップ４３は、図４（ｂ）に示すように、その固定片４３ａの後端部分は延長され棒状になっている。そして、延長部分の後端に鉤部４３ａ’が形成され、ドーナツ状の重り４３ｈを取り付けることができるようになっている。
【００５８】
次に、実施例２の電線スリーブ圧縮補助具１１と圧縮機１０１とによって、電線１００が接続される方法について説明する。
作業者は、電線スリーブ圧縮補助具１１を組み立てた後に、片方の電線１００の所定の位置に外装スリーブを挿入する。そして、実施例１の場合と同様に、２本の電線１００の、それぞれ最終的に電線１００が第２保持具５２で保持されると思われる位置よりも少し先端側の部分を第２保持具５２で軽く保持する。次に電線１００を第１保持具５１で保持する。さらに把持具４１の保持クリップ４２で電線を囲う。これにより、各電線は先端側から、第１保持具５１、第２保持具５２、把持具４１の保持クリップ４２の順に支持、保持、把持され、前述の構造により水平状態が保たれている。
【００５９】
その後、作業者は、圧縮機１０１の圧縮ダイス上で、両電線１００の先端部をスリーブの両端開口部から所定の位置まで挿入する。このとき、前述のように第１保持具５１および保持クリップ４２は電線１００を支持しているだけであり、また、第２保持具５２も電線１００を保持しているだけなので、作業者は両電線１００をスリーブ内の適切な位置に来るように動かすことができる。また、第２保持具５２によって、所望の位置で電線１００を保持することができる。
【００６０】
電線１００を適切な位置に移動した後に、作業者は、さらに保持クリップ４２の筒状欠切部分４２ｄの電線１００を、把持クリップ４３によって把持する。把持クリップ４３は、前述のように電線１００をしっかり把持するものである。把持クリップ４３と保持クリップ４２により電線１００はその中心軸方向への動きが妨げられる。よって、電線１００がスリーブから抜け落ちるのを防止できる。
【００６１】
このとき、把持クリップ４３の固定片４３ａが、保持クリップ４２の筒状欠切部分４２ｆの、支持棒３５と平行な縁にあたるように、電線１００に取り付ける。これにより、電線１００にはその中心軸を中心とした不要な回転力が掛かるのを防ぐことができる。
【００６２】
このような準備が整ったら、作業者は、圧縮機１０１を作動し圧縮を行う。圧縮が終わったら、圧縮機１０１の圧縮ダイスから電線１００を外す。
スリーブの他の位置を圧縮するためには、作業者は、電線１００から把持クリップ４３のみを外す。そして、スリーブにより接続された部分に力が掛からないようにスリーブの両端部分を両手で支えながら、電線１００を所定の位置に移動させる。その後再び把持クリップ４３により電線１００を把持し、圧縮作業を行なえばよい。このようにして所定の回数圧縮することができる。
なお、圧縮による伸びが電線１００にほとんど生じておらず、電線１００が撓んでいない場合には、電線１００を把持具３１から外すことをせず、図２の矢印で示したように、圧縮機１０１を所望の位置に移動させても良い。
【００６３】
電線スリーブ圧縮補助具が板状台座部９３を備えていない場合であれば、圧縮機１０１を地面に設置したときに、圧縮機１０１の圧縮ダイスと第１保持具５１、第２保持具５２および把持具４１によって、電線１００が、一直線状に支持、保持および把持できるように構成する。この場合、一箇所圧縮した後に他の箇所を圧縮するには、電線１００を移動させる以外に、圧縮機１０１を所望の位置に移動させても良いし、電線１００を把持等している電線スリーブ圧縮補助具１１自体を移動させても良い。
【００６４】
電線１００の圧縮接続が終わったら、把持クリップ４３を外し、電線１００を圧縮機１０１から外して、外装スリーブを所定の位置に移動させる。そして、外装スリーブを装着した電線１００を圧縮機１０１の圧縮ダイス上に移動させ、再び把持クリップ４３により電線１００を把持する。
【００６５】
このとき、把持クリップ４３は、筒状部よりも鉤部４３ａ’が上側に来るように取り付ける。鉤部４３ａ’に上部から力を加えると電線１００の縒りを強まるようにするためである。例えば、電線スリーブ圧縮補助具１１の左側面側から電線１００を見て時計回りに撚られている場合には、右側の把持クリップ４３の鉤部４３ａ’は手前側にくるように取り付け、左側の把持クリップ４３の鉤部４３ａ’はその反対で奥側にくるように取り付けることとなる。
【００６６】
このような準備が整ったら、作業者は、圧縮機１０１を作動する。圧縮が始まり、圧縮ダイスに電線１００が挟まれたら、一対の把持クリップ４３の鉤部４３ａ’にそれぞれ重り４３ｈを取り付け、圧縮が終わるのを待つ。圧縮が終わったら、圧縮ダイスから電線１００を外す。
【００６７】
その後、他の箇所を圧縮するには、把持クリップ４３のみを外し、電線１００を所望の位置に動かした後に、前述のように再度把持クリップ４３を取り付けて、前述同様に圧縮作業を行えばよく、所定の回数これを繰り返す。
また、電線１００に圧縮による伸び・撓みが生じていない場合には、前述のように、圧縮機１０１自体を動かせば、容易に次の圧縮作業を行なうことができる。
【００６８】
実施例２の電線スリーブ圧縮補助具１１によっても、実施例１の電線スリーブ圧縮補助具１と同様の効果が得られる。さらに、圧縮開始後に把持クリップ４３に重り４３ｆを取り付けることによって、把持クリップ４３に把持された部分に、撚り線の撚りを強める方向に力が加わる。これにより、圧縮で撚り線が伸び、撚りが解けて生じる「わらい」を防ぐことができる。
【００６９】
なお、重り４３ｆを取り付けずに、人が力を加えても良い。また、撚り線以外の圧縮接続を行なう場合は、把持クリップ４３の代わりに、固定片４３ａの後端部分が延長されていない把持クリップを用意して使用しても良い。電線把持部３は着脱可能なので、圧縮す
る電線１００の種類によって、実施例１の把持具３１を有するものと、実施例２の把持具４１を有するものとを使い分けることもできる。
【００７０】
本発明は上述した発明の実施の形態に限定されず、容易に電線１００を水平かつ直線状になるように支持等する形態であればよい。スリーブが湾曲することおよび電線１００が抜け落ちることを防ぐことができれば、図示したような構成に限定されず、本発明の要旨を逸脱しない範囲で種々変更できるのは勿論である。例えば、保持具５１，５２、把持具３１，４１はクリップ状の形態に限られず、また、弾性材３１ｅ，４３ｅ，５２ｅも前述の形態に限られず、電線１００を前述のように保持または把持できるものであれば良い。また、各種電線１００の太さに対応できるように着脱交換可能なものとしても良い。
【００７１】
保持具５１，５２、把持具３１，４１を支持する電線把持部３および電線保持部５も前述した形態に限られない。例えば、第１アーム６１および第２アーム６２を短くして、保持具５１，５２、把持具３１を上部支持アーム６３や連結アーム７の位置に取り付けてもよい。この場合、圧縮機１０１を設置できるように、連結アーム７の中央部分が後方に湾曲する形状としてもよい。また、より軽量化するために第２アーム６２を取り除いてもよい。
【００７２】
第１保持具５１等の地面からの距離を調節する構造は、前述した形態に限定せず、その他の構造を用いても良い。また、調節具６６等を設けずに、板状台座部９３の板状部材９３ａを着脱可能かつ折り畳み可能な構造として、圧縮機１０１の下に置き、圧縮ダイスの高さを調節するようにしてもよい。
【産業上の利用可能性】
【００７３】
本発明の電線スリーブ圧縮補助具およびその接続方法は、油圧式の圧縮機だけでなく、手動式の圧縮工具で電線の接続を行う場合等にも利用する事ができる。
【符号の説明】
【００７４】
１，１１        電線スリーブ圧縮補助具
１００          電線
１０１          圧縮機
２              電線支持体
３              電線把持部
５              電線保持部
７              連結アーム
９              基台
３１            実施例１の把持具
３５            支持棒
４１            実施例２の把持具
４２            保持クリップ
４３            把持クリップ
５１            第１保持具
５２            第２保持具
６１            第１アーム
６２            第２アーム
６３            上部支持アーム
６４            下部支持アーム
６５ａ          Ｌ字筒状連結部材
６５ｂ，ｃ      Ｔ字筒状連結部材
６６            調節ねじ
７１，７２      連結具
７１ａ，７２ｂ  係止金具
９１            枠部材
９１ａ          筒状接続部
９１ｂ          係止具
９２            突起部
９３            板状台座部
９３ａ          板状部材
９３ｂ          平板棒状部材
【図１】
2011258448.tif 000003
【図２】
2011258448.tif 000004
【図３】
2011258448.tif 000005
【図４】
2011258448.tif 000006